(57)【要約】【課題】通信モジュール５１に対するノイズのシールド効果を向上させる。【解決手段】光源モジュール１３と、本体ケース１１と、本体ケース１１に取り付けられ、通信モジュール５１を収納する金属製のシールドケース５０と、本体ケース１１に取り付けられて、光源モジュール１３、点灯装置１４、及び、シールドケース５０を内部空間に収納するカバー２０と、カバー２０に形成されたアンテナ穴２６からカバー２０の外側に突出するアンテナ４０とを備えた。本体ケース１１は、照明器具１を被取付部に固定する固定具３０に取り付けられ、カバー２０は、本体ケース１１と嵌合し、カバー２０は、水抜き穴２５が形成され、アンテナ穴２６は、照明器具１が固定具３０によって取り付けられたときに、カバー２０の水抜き穴２５よりも高くなる位置に形成されている。【選択図】図３
2020129456.tif 000002
【特許請求の範囲】
【請求項１】
本体ケースと、
前記本体ケースに取り付けられたカバーと、
光源を有する光源モジュールと
前記光源を点灯させる点灯装置と、
通信モジュールと
を備え、
前記本体ケースと前記カバーとの間に、前記光源モジュールと前記点灯装置と前記通信モジュールとを収納し、
前記通信モジュールを前記点灯装置から金属板でシールドした照明器具。
【請求項２】
前記通信モジュールを収納した金属製のシールドケースと、
前記シールドケースを取り付けた金属製の取付金具とを備え、
前記通信モジュールは、前記シールドケースと前記取付金具とによりシールドされている請求項１に記載の照明器具。
【請求項３】
前記点灯装置は、前記取付金具の一方の面に配置され、
前記通信モジュールと前記シールドケースとは、前記取付金具の他方の面に配置されている請求項２に記載の照明器具。
【請求項４】
前記通信モジュールは、アンテナを有し、
前記カバーは、アンテナ穴を有し、
前記アンテナは、前記アンテナ穴から先端を露出させている請求項２又は３に記載の照明器具。
【請求項５】
光源を有する光源モジュールを取り付けた本体ケースと、
前記本体ケースに取り付けられ、アンテナ穴を有するカバーと、
前記アンテナ穴から一端を外部に露出させているアンテナと
を備えた照明器具。
【請求項６】
通信モジュールと、
前記通信モジュールを収納したシールドケースとを有し、
前記シールドケースは、前記アンテナの他端を収納している請求項５に記載の照明器具。
【請求項７】
前記シールドケースは、貫通穴を有し、
前記アンテナは、前記貫通穴と前記アンテナ穴とを貫通しているロッドを有する請求項４又は６に記載の照明器具。
【請求項８】
前記カバーは、水抜き穴を有し、
被取付部に取り付ける固定具を有し、
前記固定具は、前記アンテナ穴が前記水抜き穴よりも高くなる位置になるように被取付部に取り付ける請求項４から７のいずれか１項に記載の照明器具。
【発明の詳細な説明】
【技術分野】
【０００１】
この発明は照明器具に関するものである。
【背景技術】
【０００２】
無線通信を行う通信モジュールを備えた照明器具がある（例えば特許文献１）。
特許文献１に記載の点灯装置は、光源部を点灯させる点灯回路部に加えて、無線通信用の通信モジュールを備える。
【先行技術文献】
【特許文献】
【０００３】
【特許文献１】特開２０１６−１４６２６５号公報
【発明の概要】
【発明が解決しようとする課題】
【０００４】
特許文献１に記載の照明器具において点灯回路部から発生するスイッチングノイズによる通信モジュールの誤動作を抑制するためには、通信モジュールを金属ケースで覆うことが考えられる。しかし、特許文献１のように光源部と点灯回路部とが実装される回路基板に通信モジュールが実装された場合、通信モジュールを金属ケースで覆うことは困難である。
また、通信モジュールを成形が自由な樹脂ケースで覆った場合、金属ケースよりも部品コストが高くなり、当該樹脂ケースを金属コーティングしないとノイズをシールドできないという課題があった。
【０００５】
本発明は、通信モジュールに対するノイズのシールド効果を向上させることを目的とする。
【課題を解決するための手段】
【０００６】
この発明の照明器具は、
本体ケースと、
前記本体ケースに取り付けられたカバーと、
光源を有する光源モジュールと
前記光源を点灯させる点灯装置と、
通信モジュールと
を備え、
前記本体ケースと前記カバーとの間に、前記光源モジュールと前記点灯装置と前記通信モジュールとを収納し、
前記通信モジュールを前記点灯装置から金属板でシールドしたことを特徴とする。
【発明の効果】
【０００７】
本発明によれば、通信モジュールをシールドしたので、通信モジュールに対するノイズのシールド効果を向上させることができる。
【図面の簡単な説明】
【０００８】
【図１】実施の形態１における照明器具の斜視図である。
【図２】実施の形態１における照明器具の三面図である。
【図３】実施の形態１における照明器具の分解図である。
【図４】実施の形態１における照明器具の内部の分解図である。
【図５】実施の形態１における照明器具の通信モジュール、アンテナ、及びシールドケースを示す分解図である。
【図６】実施の形態２における照明器具の分解図である。
【図７】実施の形態２における照明器具の内部の分解図である。
【図８】実施の形態２における照明器具の通信モジュール、アンテナ、及びシールドケースを示す分解図である。
【発明を実施するための形態】
【０００９】
実施の形態１．
照明器具１は、防犯灯である。
図１と図２に示すように、照明器具１は、器具本体１０と、この器具本体１０の発光面を覆うカバー２０と、器具本体１０を電柱又はポール等の被取付部に固定する固定具３０と、アンテナ４０とを備える。
【００１０】
図３と図４に示すように、器具本体１０は、本体ケース１１と、固定具取付部である取付金具１２と、光源モジュール１３と、点灯装置１４と、自動点滅ユニット１５と、口出し線パッキン１６と、通信モジュール５１と、シールドケース５０とを備える。
【００１１】
本体ケース１１は、長方形状の下方一面が開口する箱体状に形成される。
【００１２】
取付金具１２は、本体ケース１１に取り付けられている。
取付金具１２は、金属製である。
取付金具１２は、矩形の板金等の金属板を階段状に折り曲げられた形状をなす。
取付金具１２は、中央に、２回Ｚ字状に９０度曲げられることにより形成された壁１２１を有する。
取付金具１２は、端部に、他の部品の配置又は電線１７の通過のためのＵ字の金具開口１２３を有する。
取付金具１２は、金具開口１２３の両側に１対の山型状の金具片１２２を有する。
以下、取付金具１２の本体ケース１１と対抗する面（図において上面）を一方の面といい、取付金具１２の本体ケース１１と対抗する面と反対の面（図において下面）を他方の面という。
【００１３】
光源モジュール１３は、光源を有する。
光源モジュール１３は、取付金具１２に保持される。
光源モジュール１３は、取付金具１２の他方の面の半面に保持される。
【００１４】
点灯装置１４は、取付金具１２の一方の面の半面に配置されている。
点灯装置１４は、本体ケース１１と取付金具１２との間に収納されている。
点灯装置１４は、光源モジュール１３の光源を点灯させる電力を供給する。
点灯装置１４は、一面（上面）が開口した箱状の点灯装置ケース１４１を有する。
点灯装置１４は、点灯装置ケース１４１に収納された点灯装置基板１４４を有する。
点灯装置ケース１４１は、板金で形成され五面を有する。
点灯装置ケース１４１は、点灯装置基板１４４の半田面と四側面を覆っている。
点灯装置基板１４４が発生するノイズは、点灯装置ケース１４１の五面により抑制される。
点灯装置基板１４４の部品搭載面は、本体ケース１１により覆われている。
本体ケース１１が金属製の場合、点灯装置基板１４４は、点灯装置ケース１４１と本体ケース１１との金属板により覆われることになり、点灯装置基板１４４が発生するノイズは、点灯装置ケース１４１と本体ケース１１とにより抑制される。
点灯装置ケース１４１は、箱状の底面が箱外に延長されている。
点灯装置ケース１４１は、底面の箱外延長部分に、他の部品の配置又は電線１７の通過のためのＵ字のケース開口１４３を有する。
点灯装置ケース１４１は、ケース開口１４３の両側に１対の山型状のケース片１４２を有する。
【００１５】
自動点滅ユニット１５は、外部の明るさを検出し、点灯装置１４の動作を開始させ、あるいは動作を停止させる。
【００１６】
口出し線パッキン１６は、器具本体１０の内側から電線１７を引き出すとともに防水性を保つ。
【００１７】
カバー２０は、長方形状の透光面２１を備える。
カバー２０は、本体ケース１１との間に内部空間を形成する。
カバー２０と本体ケース１１とは、内部空間に、取付金具１２と光源モジュール１３と点灯装置１４と自動点滅ユニット１５とシールドケース５０と通信モジュール５１とを収納する。
カバー２０は、透光面２１の長手方向の一端側（下方側）に凸状に形成される水抜き凸部２４を備える。
水抜き凸部２４には、水抜き穴２５が形成される。
【００１８】
カバー２０は、透光面２１の長手方向の一端側（下方側）にアンテナ穴２６を備える。
アンテナ穴２６は、照明器具１が取り付けられたときに水抜き穴２５よりも高くなる位置に形成される。
アンテナ穴２６は、本実施の形態では水抜き凸部２４の近傍に形成される。
アンテナ４０は、水抜き凸部２４の近傍の透光面２１から、カバー２０の外側に突出している。
【００１９】
固定具３０は、器具本体１０を柱等の被取付部に、器具本体１０の先端が上になるように傾斜させて取り付ける。
固定具３０は、アンテナ穴２６が水抜き穴２５よりも高くなる位置になるように、器具本体１０を被取付部に取り付ける。
【００２０】
図４と図５に示すように、シールドケース５０は、板金で箱状に形成される。
シールドケース５０は、五面を有する。
シールドケース５０は、取付金具１２に取り付けられる。
シールドケース５０は、取付金具１２の他方の面に配置され、取付金具１２を間にして点灯装置１４の反対側に配置される。
シールドケース５０は、自動点滅ユニット１５と通信モジュール５１とを収納する。
シールドケース５０は、ノイズ対策部品を収納してもよい。
【００２１】
通信モジュール５１は、アンテナ４０を有する。
アンテナ４０は、貫通穴５２とアンテナ穴２６とを貫通している棒状のロッド４１を有する。
アンテナ４０は、アンテナ穴２６から先端を外部に露出させている。
シールドケース５０は、アンテナ４０のロッド４１の一端を外部に突出させる貫通穴５２を有する。
シールドケース５０は、アンテナ４０のロッド４１の他端を収納している。
【００２２】
シールドケース５０は、自動点滅ユニット１５を金具開口１２３のある端部側に配置する。
シールドケース５０は、通信モジュール５１を壁１２１がある中央側に配置する。
シールドケース５０は、金具開口１２３がある部分を除き、取付金具１２で覆われる。
金具開口１２３には、自動点滅ユニット１５の一部が上方に露出する。
金具開口１２３から、電線１７が引き出される。
【００２３】
通信モジュール５１は、点灯装置１４とは別なパーツである。
通信モジュール５１は、点灯装置基板１４４とは独立した通信回路基板を有する。
通信モジュール５１は、取付金具１２の他方の面に配置されている。
通信モジュール５１と点灯装置１４の間には、点灯装置ケース１４１と取付金具１２との２枚の金属板が存在する。
【００２４】
通信モジュール５１は、六面体形状の樹脂製のケースを有する。
通信モジュール５１は、ケースの六面全面が金属で点灯装置１４からシールドされる。
通信モジュール５１は、シールドケース５０と取付金具１２とによりシールドされている。
通信モジュール５１は、上面が取付金具１２によりシールドされる。
通信モジュール５１の上面には、金具開口１２３が存在していないので、通信モジュール５１の上面全面は、全て取付金具１２によりシールされる。
通信モジュール５１は、底面全面が全てシールドケース５０の底面によりシールドされる。
通信モジュール５１は、三つの側面全面が全てシールドケース５０の三つの側面によりシールドされる。
通信モジュール５１は、一つの側面が自動点滅ユニット１５に面しており、自動点滅ユニット１５の先にあるシールドケース５０の一つの側面によりシールドされる。
自動点滅ユニット１５が金属カバー、金属ケース、あるいは、金属部品を有している場合、通信モジュール５１は、自動点滅ユニット１５の金属カバー、金属ケース、あるいは、金属部品によりシールドされる。
【００２５】
＊＊＊実施の形態１の特徴＊＊＊
この実施の形態の照明器具１は、光源を有する光源モジュール１３を有する。
照明器具１は、光源モジュール１３の光源を点灯させる点灯装置１４が取り付けられる本体ケース１１を有する。
照明器具１は、本体ケース１１に取り付けられ、通信モジュール５１を収納する金属製のシールドケース５０を有する。
照明器具１は、本体ケース１１に取り付けられて、光源モジュール１３、点灯装置１４、及び、シールドケース５０を内部空間に収納するカバー２０を有する。
照明器具１は、カバー２０に形成されたアンテナ穴２６からカバー２０の外側に突出するアンテナ４０を有する。
器具本体１０は、固定具３０に取り付けられ、固定具３０により被取付部に取り付けられる。
カバー２０は、本体ケース１１と嵌合している。
カバー２０は、水抜き穴２５を有する。
水抜き穴２５は、器具本体１０が固定具３０によって被取付部に取り付けられたときに、最も下になる位置に形成されている。
アンテナ穴２６は、器具本体１０が固定具３０によって被取付部に取り付けられたときに、カバー２０の水抜き穴２５よりも高くなる位置に形成されている。
アンテナ穴２６は、器具本体１０が固定具３０によって被取付部に取り付けられたときに、傾斜面となる位置に形成されている。
【００２６】
＊＊＊実施の形態１の効果＊＊＊
この実施の形態によれば、通信モジュール５１を金属製のシールドケース５０に収納する。
また、アンテナ４０をアンテナ穴２６からカバー２０の外側に突出させる。
さらに、アンテナ穴２６が水抜き穴２５よりも高くなる位置に形成される。
このような構成により、照明器具１は、防水性を確保しつつ外部と感度良く無線通信することができる。
【００２７】
この実施の形態によれば、照明器具１が固定具３０によって被取付部に取り付けられたときに、アンテナ穴２６がカバー２０の水抜き穴２５よりも高くなる位置に形成される。
このような構成により、アンテナ穴２６から水が侵入しても、水抜き穴２５から排出される。
これにより、本体ケース１１とカバー２０との間に防水パッキンを設けなくても、照明器具１の内部に雨水が溜まることを防止できる。
【００２８】
この実施の形態によれば、アンテナ４０がカバー２０の外側に突出する構成により、照明器具１と外部機器を感度よく無線通信させることができる。
例えば無線通信リモートコントローラと照明器具１とを無線通信させることにより、照明器具１を遠隔操作で起動又は停止させることができる。
これにより、例えば照明器具１が稼動している地域に地震が発生し、電力会社の省エネルギー要請に対応する必要が出た場合、照明器具１が高所に取り付けられていても高所作業を行うことなしに、照明器具１を遠隔操作で停止させることができる。
【００２９】
この実施の形態によれば、金属製のシールドケース５０が通信モジュール５１を収納する構成により、点灯装置１４から発生するノイズにより、無線通信が誤動作するおそれを小さくすることができる。
また、シールドケース５０に通信モジュール５１以外のモジュールを収納することにより、照明器具１の機能拡張を容易に行うことができる。
【００３０】
＊＊＊変形例１＊＊＊
図５において、シールドケース５０における自動点滅ユニット１５と通信モジュール５１との収納位置を反対にしてもよい。
【００３１】
＊＊＊変形例２＊＊＊
アンテナ穴２６は、カバー２０の透光面２１の長手方向の他端側（下方側）に形成されてもよい。
アンテナ穴２６は、カバー２０の側面に形成されてもよい。
アンテナ４０は、カバー２０の外側に突出せず、内部空間にあってもよい。その際、カバー２０のアンテナ穴２６は不要である。
【００３２】
＊＊＊変形例３＊＊＊
通信モジュール５１のケースを金属板で形成し、ケースをシールドケース５０として機能させてもよい。
通信モジュール５１のケースを金属板で形成し、さらに、シールドケース５０に収納してもよい。
【００３３】
実施の形態２．
実施の形態２では、前述した実施の形態と異なる点について説明する。
本実施の形態では、シールドケース５０は、通信モジュール５１のみを収納する。
【００３４】
図６と図７に示すように、自動点滅ユニット１５は、取付金具１２の一方の面に固定される。
取付金具１２は、端部にＵ字状の開口がなく、舌状の金具延長部１２５を有する。
点灯装置ケース１４１は、端部にＵ字状の開口がなく、舌状のケース延長部１４５を有する。
【００３５】
＊＊＊実施の形態２の特徴＊＊＊
図８に示すように、シールドケース５０は、通信モジュール５１のみを収納する。
通信モジュール５１は、シールドケース５０と取付金具１２とにより、貫通穴５２と電線孔（図示せず）を除き、金属板でシールドされる。
【００３６】
＊＊＊実施の形態２の効果＊＊＊
この実施の形態によれば、通信モジュール５１が、完全に金属板で覆われるので、シールド効果が向上する。
シールドケース５０が通信モジュール５１のみを収納しているので、通信モジュール５１が自動点滅ユニット１５からの影響を受けることがない。
【００３７】
＊＊＊他の実施の形態＊＊＊
前述した実施の形態の全部又は一部を他の実施の形態と組み合わせてもよい。
【符号の説明】
【００３８】
１  照明器具、１０  器具本体、１１  本体ケース、１２  取付金具、１２１  壁、１２２  金具片、１２３  金具開口、１２５  金具延長部、１３  光源モジュール、１４  点灯装置、１４１  点灯装置ケース、１４２  ケース片、１４３  ケース開口、１４４  点灯装置基板、１４５  ケース延長部、１５  自動点滅ユニット、１６  口出し線パッキン、１７  電線、２０  カバー、２１  透光面、２４  水抜き凸部、２５  水抜き穴、２６  アンテナ穴、３０  固定具、４０  アンテナ、４１  ロッド、５０  シールドケース、５１  通信モジュール、５２  貫通穴。
【図１】
2020129456.tif 000003
【図２】
2020129456.tif 000004
【図３】
2020129456.tif 000005
【図４】
2020129456.tif 000006
【図５】
2020129456.tif 000007
【図６】
2020129456.tif 000008
【図７】
2020129456.tif 000009
【図８】
2020129456.tif 000010